(57)【要約】【課題】  低粘度でかつ幅広い温度範囲で高い潤滑性能を有する潤滑油を提供する。【解決手段】  特定のアミジニウムカチオン、特定のアンモニウムカチオン及び特定のピリミジウムカチオンからなる群から選ばれる少なくとも１種のカチオン（ａ）と下記一般式（４）で示されるアニオン（ｂ）とからなるイオン液体（Ｉ）を含有することを特徴とする潤滑油。前記カチオン（ａ）としては、炭素数４〜２０のイミダゾリウムカチオン及び各アルキル基の炭素数がそれぞれ３〜８のトリアルキルアンモニウムカチオンが好ましい。【化１】2013136650.tif 000023【選択図】  なし【特許請求の範囲】
【請求項１】
一般式（１）〜（３）で示されるカチオンからなる群から選ばれる少なくとも１種のカチオン（ａ）と一般式（４）で示されるアニオン（ｂ）とからなるイオン液体（Ｉ）を含有することを特徴とする潤滑油。
【化１】
2013136650.tif 000015
［式中、Ｒ1は水素原子又は水酸基で置換されていてもよい炭素数１〜２０のアルキル基であり、Ｒ2、Ｒ3、Ｒ4及びＲ5はそれぞれ独立に水素原子、又はアルコキシ基、水酸基、アミノ基、ニトロ基、シアノ基、カルボキシル基若しくはホルミル基で置換されていてもよい炭素数１〜１０のアルキル基であり、Ｒ1、Ｒ2、Ｒ3、Ｒ4及びＲ5の一部又は全部が相互に結合して窒素原子と共に複素環を形成していてもよい。］
【化２】
2013136650.tif 000016
［式中、Ｒ6、Ｒ7、Ｒ8及びＲ9はそれぞれ独立に水素原子又は炭素数１〜２０のアルキル基であり、Ｒ6、Ｒ7、Ｒ8及びＲ9の一部又は全部が相互に結合して窒素原子と共に複素環を形成していてもよい。］
【化３】
2013136650.tif 000017
［式中、Ｒ10、Ｒ11、Ｒ12、Ｒ13及びＲ14はそれぞれ独立に水素原子、又はアルコキシ基、水酸基、アミノ基、ニトロ基、シアノ基、カルボキシル基若しくはホルミル基で置換されていてもよい炭素数１〜２０のアルキル基であり、Ｒ15は炭素数１〜１０のアルキル基である。］
【化４】
2013136650.tif 000018
［式中、Ｒ16は、ハロゲン原子で置換された炭素数１〜２０のアルキル基であり、Ｒ17は炭素数１〜２０のアルキル基、ハロゲン原子で置換された炭素数１〜２０のアルキル基、２−チエニル基又は２−フリル基である。］
【請求項２】
前記アニオン（ｂ）が、下記化学式（５）〜（８）からなる群から選ばれる少なくとも１種のアニオンである請求項１記載の潤滑油。
【化５】
2013136650.tif 000019
【化６】
2013136650.tif 000020
【化７】
2013136650.tif 000021
【化８】
2013136650.tif 000022
【請求項３】
前記カチオン（ａ）が、一般式（１）で示されるカチオン又は一般式（２）で示されるカチオンある請求項１又は２記載の潤滑油。
【請求項４】
前記カチオン（ａ）が、炭素数４〜２０のイミダゾリウムカチオン及び各アルキル基の炭素数がそれぞれ３〜８のトリアルキルアンモニウムカチオンからなる群から選ばれる少なくとも１種のカチオンである請求項１又は２記載の潤滑油。
【発明の詳細な説明】
【技術分野】
【０００１】
本発明は、潤滑油に関する。更に詳しくは、流体軸受装置に特に好適に使用される潤滑油に関する。
【背景技術】
【０００２】
ハードディスクドライブ等に使用されるスピンドルモータには、処理スピードの高速化から、年々、高速回転が要求されるようになってきている。従来のスピンドルモータには玉軸受に代表される転がり軸受が使用されてきたが、性能及びコスト面から非接触型の流体軸受が用いられるようになってきている。この流体軸受の高速回転時の性能（主に回転トルク）は、用いられる潤滑油の粘度によって定まることが多く、スピンドルモータの高速回転化に伴い、潤滑油の粘度を低くすることが求められている。
【０００３】
一般的に潤滑油は高温域で使用すると粘度が低下することにより、油膜切れ等の潤滑性能の低下が見られ、逆に低温域で使用すると粘度が上昇し、磨耗損失を生じることがある。このようなことから、幅広い温度領域で高い潤滑性を維持することが潤滑油の性能として重要であり、そのため温度による粘度変化が小さいことが求められる。
【０００４】
従来用いられていた炭化水素系液体潤滑油やエステル油では上記問題に対応できず、幅広い温度領域で粘度変化が少ないものとして、イオン液体が提案されている（例えば特許文献１及び２参照）。  しかし、特許文献１及び２に記載のイオン液体は不揮発性、広い温度範囲における安定性及び難燃性に優れ、粘度指数が高いというイオン液体に共通する性質を有するものの、粘度が高く、その潤滑性は十分なものではなかった。
【先行技術文献】
【特許文献】
【０００５】
【特許文献１】特開２００７−０４６０３０号公報
【特許文献２】特開２００７−２９７２８７号公報
【発明の概要】
【発明が解決しようとする課題】
【０００６】
本発明は上記問題点に鑑みなされたものであり、本発明の目的は低粘度でかつ幅広い温度範囲で高い潤滑性能を有する潤滑油を提供することにある。
【課題を解決するための手段】
【０００７】
本発明者は、上記目的を達成すべく鋭意検討を行った結果、本発明に到達した。即ち、本発明は、一般式（１）〜（３）で示されるカチオンからなる群から選ばれる少なくとも１種のカチオン（ａ）と一般式（４）で示されるアニオン（ｂ）とからなるイオン液体（Ｉ）を含有することを特徴とする潤滑油である。
【０００８】
【化１】
2013136650.tif 000002
【０００９】
［式中、Ｒ1は水素原子又は水酸基で置換されていてもよい炭素数１〜２０のアルキル基であり、Ｒ2、Ｒ3、Ｒ4及びＲ5はそれぞれ独立に水素原子、又はアルコキシ基、水酸基、アミノ基、ニトロ基、シアノ基、カルボキシル基若しくはホルミル基で置換されていてもよい炭素数１〜１０のアルキル基であり、Ｒ1、Ｒ2、Ｒ3、Ｒ4及びＲ5の一部又は全部が相互に結合して窒素原子と共に複素環を形成していてもよい。］
【００１０】
【化２】
2013136650.tif 000003
【００１１】
［式中、Ｒ6、Ｒ7、Ｒ8及びＲ9はそれぞれ独立に水素原子又は炭素数１〜２０のアルキル基であり、Ｒ6、Ｒ7、Ｒ8及びＲ9の一部又は全部が相互に結合して窒素原子と共に複素環を形成していてもよい。］
【００１２】
【化３】
2013136650.tif 000004
【００１３】
［式中、Ｒ10、Ｒ11、Ｒ12、Ｒ13及びＲ14はそれぞれ独立に水素原子、又はアルコキシ基、水酸基、アミノ基、ニトロ基、シアノ基、カルボキシル基若しくはホルミル基で置換されていてもよい炭素数１〜２０のアルキル基であり、Ｒ15は炭素数１〜１０のアルキル基である。］
【００１４】
【化４】
2013136650.tif 000005
【００１５】
［式中、Ｒ16は、ハロゲン原子で置換された炭素数１〜２０のアルキル基であり、Ｒ17は炭素数１〜２０のアルキル基、ハロゲン原子で置換された炭素数１〜２０のアルキル基、２−チエニル基又は２−フリル基である。］
【発明の効果】
【００１６】
本発明の潤滑油は、特定のカチオンと特定のアニオンからなるイオン液体を用いるため、粘度が極めて低く、かつ幅広い温度範囲で高い潤滑性能を有する。従って、高速で長期間使用しても潤滑性能の低下が起こりにくく、特に高速回転を必要とする回転機器にも対応することができる。
【発明を実施するための形態】
【００１７】
本発明の潤滑剤は、一般式（１）〜（３）で示されるカチオンからなる群から選ばれる少なくとも１種のカチオン（ａ）と一般式（４）で示されるアニオン（ｂ）ととからなるイオン液体（Ｉ）を含有することを特徴とする。
【００１８】
【化５】
2013136650.tif 000006
【００１９】
【化６】
2013136650.tif 000007
【００２０】
【化７】
2013136650.tif 000008
【００２１】
【化８】
2013136650.tif 000009
【００２２】
一般式（１）におけるＲ1は水素原子又は水酸基で置換されていてもよい炭素数１〜２０のアルキル基であり、Ｒ2、Ｒ3、Ｒ4及びＲ5はそれぞれ独立に水素原子、又はアルコキシ基、水酸基、アミノ基、ニトロ基、シアノ基、カルボキシル基若しくはホルミル基で置換されていてもよい炭素数１〜１０のアルキル基であり、Ｒ1、Ｒ2、Ｒ3、Ｒ4及びＲ5の一部又は全部が相互に結合して窒素原子と共に複素環を形成していてもよい。
【００２３】
炭素数１〜２０のアルキル基としては、メチル基、エチル基、イソプロピル基、ヘキシル基、２−エチルヘキシル基、ラウリル基及びステアリル基等が挙げられる。また、水酸基で置換された炭素数１〜２０のアルキル基としては、２−ヒドロキシエチル基、３−ヒドロキシプロピル基、６−ヒドロキシヘキシル基及び１２−ヒドロキシラウリル基等が挙げられる。
【００２４】
低粘度の観点からＲ1として好ましいのは、水素原子及び炭素数が１〜１０のアルキル基であり、更に好ましいのは水素原子及び炭素数が１〜５のアルキル基である。
【００２５】
Ｒ2、Ｒ3、Ｒ4及びＲ5におけるアルコキシ基、水酸基、アミノ基、ニトロ基、シアノ基、カルボキシル基又はホルミル基を有する基としては、メトキシエチル基、エトキシプロピル基、２−ヒドロキシブチル基、１−アミノエチル基、１−ニトロエチル基、２−シアノプロピル基及び１−カルボキシプロピル基等が挙げられる。
【００２６】
一般式（１）におけるＲ1、Ｒ2、Ｒ3、Ｒ4及びＲ5の一部又は全部が相互に結合して窒素原子と共に複素環を形成しているものとしては、炭素数４〜２０のイミダゾリウムカチオン、炭素数５〜１６のテトラヒドロピリミジニウムカチオン及び炭素数８〜１６のビシクロ骨格を有するアミニジウムカチオン等が挙げられる。
【００２７】
炭素数４〜２０のイミダゾリウムカチオンとしては、１，１−ジメチルイミダゾリウム、１，３−ジメチルイミダゾリウム、１−エチル−３−メチルイミダゾリウム、１，３−ジエチルイミダゾリウム、１，１，２−トリメチルイミダゾリウム、１，２，３−トリメチルイミダゾリウム、１，１，２，４−テトラメチルイミダゾリウム、１，１，２，５−テトラメチルイミダゾリウム、１，２，３，４−テトラメチルイミダゾリウム、１，１，２，４，５−ペンタメチルイミダゾリウム、１，３，４−トリメチル−２−エチルイミダゾリウム、１，３−ジメチル−２，４−ジエチルイミダゾリウム、１，２−ジメチル−３，４−ジエチルイミダゾリウム、１−メチル−２，３，４−トリエチルイミダゾリウム、１，２，３，４−テトラエチルイミダゾリウム、１，３−ジメチル−２−エチルイミダゾリウム、１−エチル−２，３−ジメチルイミダゾリウム、１，２，３−トリエチルイミダゾリウム、１，１−ジメチル−２−ヘプチルイミダゾリウム、１，１−ジメチル−２−（２−ヘプチル）イミダゾリウム、１，１−ジメチル−２−（３−ヘプチル）イミダゾリウム、１，１−ジメチル−２−（４−ヘプチル）イミダゾリウム及び１，１−ジメチル−２−ドデシルイミダゾリウム等のカチオンが挙げられる。
【００２８】
炭素数５〜１６のテトラヒドロピリミジニウムカチオンとしては、１，３−ジメチル−３，４，５，６−テトラヒドロピリミジニウム、１，２，３−トリメチル−３，４，５，６−テトラヒドロピリミジニウム、１，２，３，４−テトラメチル−３，４，５，６−テトラヒドロピリミジニウム及び１，２，３，５−テトラメチル−３，４，５，６−テトラヒドロピリミジニウム等のカチオンが挙げられる。
【００２９】
炭素数８〜１６のビシクロ骨格を有するアミニジウムカチオンとしては、５−メチル−１，５−ジアザビシクロ［４．３．０］−５−ノネニウム、５−エチル−１，５−ジアザビシクロ［４．３．０］−５−ノネニウム、８−メチル−１，８−ジアザビシクロ［５．４．０］−７−ウンデセニウム及び８−エチル−１，８−ジアザビシクロ［５．４．０］−７−ウンデセニウム等のカチオンが挙げられる。
【００３０】
一般式（２）におけるＲ6、Ｒ7、Ｒ8及びＲ9はそれぞれ独立に水素原子又は炭素数１〜２０のアルキル基であり、Ｒ6、Ｒ7、Ｒ8及びＲ9の一部又は全部が相互に結合して窒素原子と共に複素環を形成していてもよい。
【００３１】
Ｒ6、Ｒ7、Ｒ8及びＲ9における炭素数１〜２０のアルキル基としては、メチル基、エチル基、プロピル基、ブチル基、ヘキシル基、オクチル基、ラウリル基及びステアリル基等が挙げられ、低粘度の観点から好ましいのは、水素原子及び炭素数１〜１０のアルキル基である。
【００３２】
一般式（２）で示されるアンモニウムカチオンの具体例としては、例えば、Ｎ，Ｎ，Ｎ，Ｎ−テトラメチルアンモニウムイオン、Ｎ，Ｎ，Ｎ−トリメチルエチルアンモニウムイオン、Ｎ，Ｎ，Ｎ−トリメチルプロピルアンモニウムイオン、Ｎ，Ｎ，Ｎ−トリメチルブチルアンモニウムイオン、Ｎ，Ｎ，Ｎ−トリメチルペンチルアンモニウムイオン、Ｎ，Ｎ，Ｎ−トリメチルヘキシルアンモニウムイオン、Ｎ，Ｎ，Ｎ−トリメチルヘプチルアンモニウムイオン、Ｎ，Ｎ，Ｎ−トリメチルオクチルアンモニウムイオン、Ｎ−エチル−Ｎ，Ｎ−ジメチルプロピルアンモニウムイオン、Ｎ−エチル−Ｎ，Ｎ−ジメチルブチルアンモニウムイオン、Ｎ−エチル−Ｎ，Ｎ−ジメチルヘキシルアンモニウムイオン、Ｎ，Ｎ，Ｎ−トリメチルアンモニウム、Ｎ，Ｎ，Ｎ−トリエチルアンモニウム、Ｎ，Ｎ，Ｎ−トリプロピルアンモニウム、Ｎ，Ｎ，Ｎ−トリブチルアンモニウム及びＮ，Ｎ，Ｎ−トリオクチルアンモニウム等のカチオンが挙げられる。
【００３３】
一般式（３）におけるＲ10、Ｒ11、Ｒ12、Ｒ13及びＲ14はそれぞれ独立に水素原子、又はアルコキシ基、水酸基、アミノ基、ニトロ基、シアノ基、カルボキシル基若しくはホルミル基で置換されていてもよい炭素数１〜２０のアルキル基であり、Ｒ15は炭素数１〜１０のアルキル基である。
【００３４】
Ｒ10、Ｒ11、Ｒ12、Ｒ13及びＲ14における炭素数１〜２０のアルキル基としては、メチル基、エチル基、イソプロピル基、ヘキシル基、２−エチルヘキシル基、ラウリル基及びステアリル基等が挙げられる。また、これらの任意の位置にアルコキシ基、水酸基、アミノ基、ニトロ基、シアノ基、カルボキシル基又はホルミル基を有している基としては、メトキシエチル基、エトキシプロピル基、２−ヒドロキシブチル基、１−アミノエチル基、１−ニトロエチル基、２−シアノプロピル基、１−カルボキシプロピル基及び１−ホルミルプロピル基等が挙げられる。
【００３５】
Ｒ15における炭素数１〜１０のアルキル基としては、メチル基、エチル基、イソプロピル基、ヘキシル基及び２−エチルヘキシル基等が挙げられる。
【００３６】
低粘度の観点から、Ｒ10、Ｒ11、Ｒ12、Ｒ13及びＲ14として好ましいのは、水素原子及び炭素数が１〜１０のアルキル基であり、Ｒ15として好ましいのは、炭素数１〜５のアルキル基である。
【００３７】
一般式（３）で示されるピリジニウムカチオンの具体例としては、Ｎ−メチルピリジニウム、Ｎ−エチルピリジニウム、Ｎ−ブチルピリジニウム、Ｎ−ブチル−４−メチルピリジニウム、Ｎ−ブチル−４−エチルピリジニウム、１，２−ジメチルピリジニウム及び１，３−ジメチルピリジニウム等のカチオンが挙げられる。
【００３８】
カチオン（ａ）として低粘度の観点から好ましいのは、炭素数４〜２０のイミダゾリウムカチオン及び各アルキル基の炭素数がそれぞれ３〜８のトリアルキルアンモニウムカチオンであり、更に好ましいのは、１，３−ジメチルイミダゾリウムカチオン、１，３−ジエチルイミダゾリウムカチオン、１−エチル−３−メチルイミダゾリウムカチオン、１，２，３−トリメチルイミダゾリウムカチオンであり、Ｎ，Ｎ，Ｎ−トリブチルアンモニウムカチオン及びＮ，Ｎ，Ｎ−トリオクチルアンモニウムカチオンであり、特に好ましいのは、Ｎ，Ｎ，Ｎ−トリオクチルアンモニウムカチオンである。
【００３９】
一般式（４）におけるＲ16は、ハロゲン原子で置換された炭素数１〜２０のアルキル基であり、Ｒ17は炭素数１〜２０のアルキル基、ハロゲン原子で置換された炭素数１〜２０のアルキル基、２−チエニル基又は２−フリル基である。
【００４０】
Ｒ16及びＲ17における炭素数１〜２０のアルキル基としては、メチル基、エチル基、イソプロピル基、ヘキシル基、２−エチルヘキシル基、ラウリル基及びステアリル基等が挙げられる。また、これらの任意の位置をハロゲン原子で置換したものとしては、２−クロロプロピル基、１，２−ジブロモへキシル基、パーフルオロメチル基及びパーフルオロプロピル基等が挙げられる。
【００４１】
一般式（４）で示されるアニオンの内、低粘度の観点から好ましいのは、下記化学式（５）〜（８）で示されるものである。
【００４２】
【化９】
2013136650.tif 000010
【００４３】
【化１０】
2013136650.tif 000011
【００４４】
【化１１】
2013136650.tif 000012
【００４５】
【化１２】
2013136650.tif 000013
【００４６】
本発明におけるイオン液体（Ｉ）の２５℃における粘度は１〜２０ｍＰａ・ｓであることが好ましく、更に好ましくは１〜１０ｍＰａ・ｓである。本発明における粘度は、ブルックフィールド型粘度計を用いて測定される。
【００４７】
イオン液体（Ｉ）の製造方法は特に限定されず、例えば、一般式（１）〜（３）で示されるカチオンのカチオン化前の化合物（アミジン系化合物、アミン類及びピリジン系化合物）と一般式（４）で示されるアニオンの負電荷を有する炭素にプロトンが結合した化合物とを反応させる方法等が挙げられる。
【００４８】
本発明の潤滑剤はイオン液体（Ｉ）を含有するが、更に防錆剤、ｐＨ調整剤、酸化防止剤、摩耗防止剤、極圧剤、粘度指数向上剤、流動点降下剤及び消泡剤等の添加剤の１種又は２種以上を含有することができる。これらの添加剤の使用量は、本発明の効果を阻害しない限り特に限定されるものではないが、潤滑剤の全体の重量に基づいて、防錆剤は０〜５重量％、好ましくは０．０１〜３重量％；ｐＨ調整剤は０〜３重量％、好ましくは０．０１〜２重量％；酸化防止剤は、０〜５重量％、好ましくは０．０１〜３重量％；摩耗防止剤と極圧剤は、０〜１０重量％、好ましくは０．０１〜５重量％；粘度指数向上剤と流動点降下剤は、０〜１５重量％、好ましくは０．１〜７重量％；消泡剤は、０〜０．１重量％、好ましくは０．０００５〜０．０１重量％である。
【実施例】
【００４９】
以下、実施例により本発明を更に説明するが、本発明はこれに限定されるものではない。以下において部は重量部を表す。
【００５０】
実施例１
反応容器に１，１，１，５，５，５−ヘキサフルオロ−２，４−ペンタンジオン１２．７部、Ｎ，Ｎ，Ｎ−トリプロピルアミン８．５８部及びアセトニトリル１２０．０部を仕込み、２５℃で２４時間撹拌した。充填剤としてシリカゲル（７０−２３０メッシュ）を、溶離液としてアセトニトリル−酢酸エチル（重量比７０／３０）混合溶液を用いたカラムクロマトグラフィーにより精製してイオン液体からなる潤滑剤（Ａ−１）を得た。
【００５１】
実施例２
Ｎ，Ｎ，Ｎ−トリプロピルアミン８．５８部をＮ，Ｎ，Ｎ−トリオクチルアミン２１．２部とした以外は実施例１と同様にして、イオン液体からなる潤滑剤（Ａ−２）を得た。
【００５２】
実施例３
反応容器に１，１，１，５，５，５−ヘキサフルオロ−２，４−ペンタンジオンアニオンのナトリウム塩１３．８部、１−メチル−３−メチルイミダゾリウムブロミド１０．７部、水４０部及び塩化メチレン１１０部を仕込み、撹拌下４０℃で４時間反応させた後、水層を分液漏斗により分液除去して有機層を水洗し、減圧濃縮することにより、イオン液体からなる潤滑剤（Ａ−３）を得た。
【００５３】
実施例４
１−メチル−３−メチルイミダゾリウムブロミド１０．７部を１−エチル−３−メチルイミダゾリウムブロミド１１．５部とした以外は実施例３と同様にして、イオン液体からなる潤滑剤（Ａ−４）を得た。
【００５４】
実施例５
１，１，１，５，５，５−ヘキサフルオロ−２，４−ペンタンジオン１２．７部を６，６，７，７，８，８，８−ヘプタフルオロ−２，２−ジメチル−３，５−オクタンジオン１７．８部とした以外は実施例１と同様にして、イオン液体からなる潤滑剤（Ａ−５）を得た。
【００５５】
実施例６
１，１，１，５，５，５−ヘキサフルオロ−２，４−ペンタンジオン１２．７部を４，４，４−トリフルオロ−１−（２−フラニル）−１，３−ブタンジオン１２．４部とした以外は実施例１と同様にして、イオン液体からなる潤滑剤（Ａ−６）を得た。
【００５６】
実施例７
１，１，１，５，５，５−ヘキサフルオロ−２，４−ペンタンジオン１２．７部を４，４，４−トリフルオロ−１−（２−チエニル）−１，３−ブタンジオン１３．３部とした以外は実施例１と同様にして、イオン液体からなる潤滑剤（Ａ−７）を得た。
【００５７】
比較例１
反応容器に１−エチル−３−メチルイミダゾリウムブロミド１１．０部、ビス（トリフルオロメタンスルホニル）イミドアニオンのカリウム塩２０．３部、水４０部及び塩化メチレン１００部を仕込み、撹拌下４０℃で４時間反応させた後、水層を分液漏斗により分液除去して有機層を水洗し、減圧濃縮することにより、イオン液体からなる比較用の潤滑剤（Ｂ−１）を得た。
【００５８】
比較例２
１−エチル−３−メチルイミダゾリウムブロミド１１．０部をＮ，Ｎ，Ｎ−トリメチルエチルアンモニウムブロミド１０．１部とした以外は比較例１と同様にしてイオン液体からなる比較用の潤滑剤（Ｂ−２）を得た。
【００５９】
比較例３
ポリα−オレフィン［シェブロンフィリップス（株）製「シンフルード８０１」］を比較用の潤滑剤とした。
【００６０】
実施例１〜７及び比較例１〜３で得られた潤滑剤（Ａ−１）〜（Ａ−７）及び（Ｂ−１）〜（Ｂ−３）について、２５℃での粘度及び粘度指数を測定した結果を表１に示す。尚、粘度指数はＪＩＳ  Ｋ  ２２８３に準じて測定した。
【００６１】
【表１】
2013136650.tif 000014
【産業上の利用可能性】
【００６２】
本発明の潤滑油は、不揮発性である上に、極めて低粘度でかつ高温での粘度特性が優れているため、幅広い温度範囲で高い潤滑性能を有しており、スピンドルモータ等の軸受用潤滑剤として有用である。